(57)【要約】【課題】着脱が容易で、刈払機の先端寄りに飛散防止カバーが取り付けられたものであっても装着が容易であり、紛失を防止できる払機用刈刃カバーを提供する。【解決手段】刈払機１０を保管若しくは運搬する際に刈払機１０に取り付けられた状態の刈刃Ｂを、又は刈払機１０から取り外した状態の刈刃Ｂを被う刈刃カバー１であって、刈刃Ｂの全体を収容可能な収容部２を有する円板状の外形をなす袋体であり、刈刃Ｂを出し入れするために外周縁に設けた開口部３、刈払機１０に取り付けられた状態の刈刃Ｂを出し入れする際に、刈払機１０先端の駆動軸まわりの突出部Ｃと干渉しないように、外周縁の一部から中央部まで伸びる切欠部４、並びに、開口部３の一部を閉じて刈刃Ｂの出入を不能にした閉状態及び開口３部の全体を開いて刈刃Ｂの出入を可能にした開状態を切り替える、前記袋体の表裏を繋ぐ舌片部５を備えた。【選択図】図６
0003195734.tif 000002
【実用新案登録請求の範囲】
【請求項１】
刈刃を回転させながら草や小径木の刈払い作業を行う刈払機を保管若しくは運搬する際に前記刈払機に取り付けられた状態の前記刈刃を、又は前記刈払機から取り外した状態の前記刈刃を被う刈刃カバーであって、
前記刈刃の全体を収容可能な収容部を有する円板状の外形をなす袋体であり、
前記刈刃を出し入れするために前記袋体の外周縁に設けた開口部と、
前記刈払機に取り付けられた状態の前記刈刃を出し入れする際に、前記刈払機先端の駆動軸まわりの突出部と干渉しないように、前記外周縁の一部から中央部まで伸びる切欠部と、
前記開口部の一部を閉じて前記刈刃の出入を不能にした閉状態、及び前記開口部の全体を開いて前記刈刃の出入を可能にした開状態を切り替える、前記袋体の表裏を繋ぐ舌片部とを備えたことを特徴とする刈払機用刈刃カバー。
【請求項２】
前記収容部内に前記刈刃を収容していない状態、又は前記収容部内に前記刈刃を単体で収容している状態で、前記閉状態における前記舌片部の内面側に作業者のベルトを挿通可能としてなる請求項１記載の刈払機用刈刃カバー。
【請求項３】
前記刈払機の保守用工具又は部品を収納可能なポケットを備えてなる請求項１又は２記載の刈払機用刈刃カバー。
【請求項４】
吊り下げて保管するための吊下げ具を備えてなる請求項１〜３の何れか１項に記載の刈払機用刈刃カバー。
【考案の詳細な説明】
【技術分野】
【０００１】
本考案は、刈払機を持ち運ぶ際等に人や物を傷付けないように刈刃を被う刈刃カバーに関する。
【背景技術】
【０００２】
刈払機は、メインパイプ後端部に取り付けた駆動装置（小型エンジン又は電動機）の動力をメインパイプ内のドライブシャフトによりメインパイプ先端部の刈刃に伝達し、刈刃を回転させながら草や小径木の刈払い作業を行うものであり、作業者は、例えばメインパイプ中間部に固定されたハンドルを操作して前記刈払い作業を行う（例えば、特許文献１及び非特許文献１参照）。
このような刈払機は、山林、農園、庭園、田畑、又は道路等における前記刈払い作業に用いられ、草刈鎌等による手作業の場合と比較して作業時間を格段に短縮できるため、農林業や土木建築工事業の作業現場を中心に広く普及している。
【０００３】
刈払機は、前記刈払い作業の大幅な効率化が図れる反面、刈刃が高速で回転するため、作業者への飛散物の直撃を防止するための飛散防止カバー（例えば、特許文献１の図６の「飛散防止カバー１０５」、及び非特許文献１の第１０頁の「飛散防止カバー」参照）を取り付けること、及び作業者自身が保護具を着用すること等、使用時における安全対策が必要である。その上、非使用時においても、長尺であるメインパイプの先端部に刈刃の鋭利な刃が剥き出しになっているので、人や物を傷付けないように安全対策をする必要があり、刈払機を保管又は運搬する際には、刈刃を被う刈刃カバーを装着する必要がある（例えば、非特許文献１の第１９頁の「刈刃カバー」、及び特許文献２の「刈刃安全カバー」参照）。
ここで、非特許文献１の刈刃カバーは、合成樹脂からなる帯状のものであり、刈刃の外周縁に沿わせるように巻き付けた後、両端部を留め具で留めるものである。
また、特許文献２の刈刃カバーは、ゴム、合成樹脂、又は布からなる、外形が略Ｕ字状を成す袋状のものであり、フラップ状のふた（６）をあけて切れ目（３）を左右に広げた状態で刈刃（８）を差し入れた後、ふた（６）を閉じるものである。
【先行技術文献】
【特許文献】
【０００４】
【特許文献１】特開２００６−２９６３１１号公報
【特許文献２】実開平５−１５７２１号公報
【非特許文献】
【０００５】
【非特許文献１】「日立エンジン刈払機CG27ES」の取扱説明書，日立工機株式会社，2008年10月，インターネット＜URL：http://www.hitachi-koki.co.jp/manual_view_domestic/pdf/E99002801_CG27ES_810.pdf＞
【考案の概要】
【考案が解決しようとする課題】
【０００６】
非特許文献１のような従来の刈刃カバーは、帯状の刈刃カバーを刈刃の外周縁に沿わせるように巻き付けて両端部を留め具で留める構成であるので、着脱が面倒であるとともに、着脱の際に刃部に指が当たって怪我をするおそれがある。
また、特許文献２のような従来の刈刃カバーは、非特許文献１と比べて着脱が容易であるが、外形が略Ｕ字状であるので、飛散防止カバー（例えば、特許文献１の図６の「飛散防止カバー１０５」、及び非特許文献１の第１０頁の「飛散防止カバー」参照）が刈払機の先端寄りに取り付けられたものでは、刈払機に取り付けられた状態の刈刃に対して刈刃カバーの取付けができないか、前記取付けが困難になる。
さらに、非特許文献１、及び特許文献２のような刈刃カバーは、刈払機の使用時には、刈刃から外した刈刃カバーを保管しておく必要があるため、紛失のおそれがあるとともに、使用したいときに直ぐに使用できない場合がある。
【０００７】
そこで本考案が前述の状況に鑑み、解決しようとするところは、着脱が容易であるとともに、刈払機の先端寄りに飛散防止カバーが取り付けられたものであっても装着が容易であり、紛失のおそれがなく使用したいときに直ぐに使用できる刈払機用刈刃カバーを提供する点にある。
【課題を解決するための手段】
【０００８】
本考案に係る刈払機用刈刃カバーは、前記課題解決のために、刈刃を回転させながら草や小径木の刈払い作業を行う刈払機を保管若しくは運搬する際に前記刈払機に取り付けられた状態の前記刈刃を、又は前記刈払機から取り外した状態の前記刈刃を被う刈刃カバーであって、前記刈刃の全体を収容可能な収容部を有する円板状の外形をなす袋体であり、前記刈刃を出し入れするために前記袋体の外周縁に設けた開口部と、前記刈払機に取り付けられた状態の前記刈刃を出し入れする際に、前記刈払機先端の駆動軸まわりの突出部と干渉しないように、前記外周縁の一部から中央部まで伸びる切欠部と、前記開口部の一部を閉じて前記刈刃の出入を不能にした閉状態、及び前記開口部の全体を開いて前記刈刃の出入を可能にした開状態を切り替える、前記袋体の表裏を繋ぐ舌片部とを備えたことを特徴とする
【０００９】
このような構成によれば、刈刃の全体を収容可能な収容部を有する円板状の外形をなす袋体であるとともに、袋体の表裏を繋ぐ舌片部により前記閉状態及び前記開状態を切り替えることができるので、袋体の収容部に刈刃の全体が収容されるため安全性がより高まるとともに、前記開状態で外周縁に設けた開口部から容易に刈刃を出し入れできる。
その上、外周縁の一部から中央部まで伸びる切欠部が形成されているので、刈払機先端の駆動軸まわりの突出部と干渉しないため、刈払機に取り付けられた状態の刈刃の出入れも容易である。
その上さらに、円板状であるので、飛散防止カバーが刈払機の先端寄りに取り付けられたものであっても、刈払機に取り付けられた状態の刈刃に対して、飛散防止カバーと干渉せずに容易に装着できる。
【００１０】
ここで、前記収容部内に前記刈刃を収容していない状態、又は前記収容部内に前記刈刃を単体で収容している状態で、前記閉状態における前記舌片部の内面側に作業者のベルトを挿通可能としてなると好ましい。
このような構成によれば、刈払機を使用する際に作業者のズボンのベルトを利用して作業者の腰に取り付けておくことにより、刈刃カバーを紛失するおそれがなくなるとともに、使用したいときにベルトから外して直ぐに使用できる。
その上、作業者が刈払機を用いて刈払い作業をする際に、作業者のメインパイプ側の腰に刈刃カバーを取り付けておくことにより、作業者の腰と刈払機のメインパイプとの間に刈刃カバーが介在するので、刈払機から作業者に伝わる負荷や振動を緩和できる。
【００１１】
また、前記刈払機の保守用工具又は部品を収納可能なポケットを備えてなると好ましい。
このような構成によれば、刈刃カバーに備えたポケットに保守用工具又は部品を入れておくことにより、保守用工具や部品の紛失を防止できるとともに作業現場での保守性が向上する。
【００１２】
さらに、吊り下げて保管するための吊下げ具を備えてなると好ましい。
このような構成によれば、刈払機の刈刃に刈刃カバーを装着した状態で、刈刃カバーの吊下げ具を利用して倉庫の壁等に吊り下げて保管できるので、保管効率が向上するとともに、立て掛けた長尺の刈払機の転倒を防止できるとともに、床に置いた長尺の刈払機に躓くことがなくなるので、安全性が向上する。
【考案の効果】
【００１３】
以上のように、本考案に係る刈払機用刈刃カバーによれば、
（１）刈刃の全体を収容可能な収容部を有する円板状の外形をなす袋体であるとともに、袋体の表裏を繋ぐ舌片部により前記閉状態及び前記開状態を切り替えることができるので、袋体の収容部に刈刃の全体が収容されるため安全性がより高まるとともに、前記開状態で外周縁に設けた開口部から容易に刈刃を出し入れできること、
（２）外周縁の一部から中央部まで伸びる切欠部が形成されているので、刈払機先端の駆動軸まわりの突出部と干渉しないため、刈払機に取り付けられた状態の刈刃の出入れも容易であること、
（３）円板状であるので、飛散防止カバーが刈払機の先端寄りに取り付けられたものであっても、刈払機に取り付けられた状態の刈刃に対して、飛散防止カバーと干渉せずに容易に装着できること、
（４）舌片部の内面側に作業者のベルトを挿通可能としたものでは、刈払機を使用する際に作業者のズボンのベルトを利用して作業者の腰に取り付けておくことにより、刈刃カバーを紛失するおそれがなくなるとともに、使用したいときにベルトから外して直ぐに使用できること、
（５）舌片部の内面側に作業者のベルトを挿通可能としたものでは、作業者が刈払機を用いて刈払い作業をする際に、作業者のメインパイプ側の腰に刈刃カバーを取り付けておくことにより、作業者の腰と刈払機のメインパイプとの間に刈刃カバーが介在するので、刈払機から作業者に伝わる負荷や振動を緩和できること、
等の顕著な効果を奏する。
【図面の簡単な説明】
【００１４】
【図１】本考案の実施の形態に係る刈刃カバーが装着された刈払機の一例を示す斜視図である。
【図２】刈払機により刈払い作業を行っている状態を示す斜視図である。
【図３】本考案の実施の形態に係る刈刃カバーの斜視図であり、刈払機から取り外した状態の刈刃を収容した状態を示している。
【図４】同じく正面図である。
【図５】同じく背面図である。
【図６】刈払機に取り付けられた状態の刈刃を刈刃カバーにより被う際の作業を説明するための斜視図である。
【図７】刈払機から取り外した状態の単体の刈刃を刈刃カバーにより被う際の作業を説明するための斜視図である。
【図８】閉状態における舌片部の内面側に作業者のベルトを挿通した状態を示す縦断側面図である。
【図９】（ａ）は刈刃カバーに付加したポケットの例を示す背面図、（ｂ）は刈刃カバーに付加した吊下げ具の例を示す正面図である。
【図１０】刈刃カバーの別形態の例を示す正面図である。
【考案を実施するための形態】
【００１５】
次に本考案の実施の形態を添付図面に基づき詳細に説明するが、本考案は、添付図面に示された形態に限定されず実用新案登録請求の範囲に記載の要件を満たす実施形態の全てを含むものである。
【００１６】
図１及び図２の斜視図、並びに図３の斜視図に示すように、本考案の実施の形態に係る刈刃カバー１は、刈払機１０を保管若しくは運搬する際に刈払機１０に取り付けられた状態の刈刃Ｂを被うもの（図１）、又は刈払機１０から取り外した状態の刈刃Ｂを被うもの（図３）であり、作業者Ｗの作業ズボンのベルトＫを利用して作業者Ｗの腰部に保持できる（図２）。
図２に示すように、作業者Ｗは、メインパイプＡの中間部に固定されたハンガーＦに取り付けられた肩掛けバンドＧにより刈払機１０を支持した状態で、メインパイプＡの中間部のハンガーＦよりも前方位置に固定されたハンドルＨを操作し、刈刃Ｂを回転させながら草や小径木の刈払い作業を行う。このような刈払い作業の際に、作業者ＷのメインパイプＡ側の腰に刈刃カバー１を取り付けておくことにより、作業者Ｗの腰と刈払機１０のメインパイプＡとの間に刈刃カバー１が介在するので、刈払機１０から作業者Ｗに伝わる負荷や振動を緩和できる。
【００１７】
ここで、刈払機１０は、駆動装置である小型エンジンＥの動力がメインパイプＡ内のドライブシャフトによりギヤケースＣ内のギヤに伝達され、このような伝達機構先端の駆動軸に取付孔Ｊ（図３）を利用して固定された刈刃Ｂを回転させるものであり、作業者ＷによりスロットルレバーＩが操作されることにより、エンジンＥの回転数、すなわち刈刃Ｂの回転数が調節される。
また、メインパイプＡの先端側には、高速で回転する刈刃Ｂにより切断されて飛散する草や小径木が作業者Ｗを直撃しないようにするために、飛散防止カバーＤが取り付けられる。
【００１８】
図４の正面図、図５の背面図、及び図６の斜視図に示すように、刈刃カバー１は、刈刃Ｂの全体を収容可能な収容部２を有する円板状の外形をなす袋体であり、刈刃Ｂを出し入れするために前記袋体の外周縁に設けた開口部３、図６のように刈払機１０に取り付けられた状態の刈刃Ｂを出し入れする際に、刈払機１０先端の駆動軸まわりの突出部であるギヤケースＣと干渉しないように、前記袋体の外周縁の一部から中央部まで伸びる、略Ｕ字状の切欠部４、並びに、開口部３の一部（中間部分）を閉じて刈刃Ｂの出入を不能にした閉状態、及び開口部３の全体を開いて刈刃Ｂの出入を可能にした開状態を切り替える、前記袋体の表裏を繋ぐ舌片部５を備える。
また、刈刃カバー１は、切欠部４上を渡る横架片部６、及び背面側の左右に帯状の端部が取り付けられたゴムバンド７を備える。
ここで、刈刃カバー１は、ゴムベルト７以外は、所要の強度及び可撓性を持たせるために、ナイロン繊維やポリエステル繊維等からなる織布又は不織布を用いて形成されるので、耐久性が高く長期間にわたる使用が可能である。
【００１９】
次に、刈刃Ｂに対する刈刃カバー１の装着方法について説明する。
図６の斜視図に示すように、刈刃カバー１の舌片部５の面ファスナー５Ａ，５Ｂ、及び横架片部６の面ファスナー６Ａ，６Ｂを剥がして前記開状態にする。
次に、図６中の矢印のように、刈払機１０に取り付けられた状態の刈刃Ｂを開口部３から収容部２に収容する。
次に、面フアスナー６Ａ，６Ｂを貼り付けた後、面ファスナー５Ａ，５Ｂを貼り付けることにより図５及び図６に示す前記閉状態になる。また、ゴムバンド７を裏側（下側）から移動させて表側（上側）に掛けることにより（図４の二点鎖線、及び図１参照）、開口部３の開き止めをすることができる。
なお、面ファスナー５Ａ，５Ｂを貼り付ける前にゴムバンド７を表側に掛けるようにしてもよく、すなわち、舌片部５の内面側（下側）にゴムバンド７を掛けてもよい。
【００２０】
図７の斜視図に示すように、刈払機１０から取り外した状態の単体の刈刃Ｂに刈刃カバー１を装着する場合は、舌片部５の面ファスナー５Ａ，５Ｂを剥がした状態で、図６に示す横架片部６の面フアスナー６Ａ，６Ｂを貼り付けたままにしておき、図７中の矢印のように、刈払機１０に取り付けられた状態の刈刃Ｂを開口部３から収容部２に収容する。
次に、図６の説明と同様に、面ファスナー５Ａ，５Ｂを貼り付けて前記閉状態にするとともに、必要に応じてゴムバンド７を裏側から移動させて表側に掛ける。
【００２１】
次に、刈刃カバー１を、図２に示す作業者Ｗの作業ズボンのベルトＫを利用して作業者Ｗの腰部に取り付ける方法について説明する。
作業者Ｗの腰部に取り付ける刈刃カバー１は、図８の縦断側面図に示す例では収容部２に予備の刈刃Ｂを収容した例を示しているが、収容部２に刈刃Ｂを収容していない刈刃カバー１であってもよい。
図８に示すように、刈刃カバー１の舌片部５の内面側には、作業者ＷのベルトＫ（図２も参照）が挿通可能なスペースがあるので、舌片部５の内面側にベルトＫを挿通することにより、容易に刈刃カバー１をベルトＫに吊り下げることができ、このようにした状態では、刈刃カバー１は作業者Ｗの腰部に保持される（図２）。
よって、刈払機１０を使用する際に作業者ＷのズボンのベルトＫを利用して作業者Ｗの腰に刈刃カバー１を取り付けておくことにより、刈刃カバー１を紛失するおそれがなくなるとともに、使用したいときにベルトＫから外して直ぐに使用できる。
【００２２】
次に、刈刃カバー１の変形例について説明する。
図９（ａ）の背面図は、刈刃カバー１に付加したポケット８の例を示しており、ポケット８に保守用工具や部品を入れておくことにより、保守用工具や部品の紛失を防止できるとともに作業現場での保守性が向上する。
図９（ｂ）の正面図は、刈刃カバー１に付加した吊下げ具９の例を示しており、刈払機１０の刈刃Ｂ（図２参照）に刈刃カバー１を装着した状態で、吊下げ具９を利用して倉庫の壁等に吊り下げて保管できるので、保管効率が向上するとともに、立て掛けた長尺の刈払機１０の転倒を防止できるとともに、床に置いた長尺の刈払機１０に躓くことがなくなるので、安全性が向上する。
【００２３】
図１０の正面図は、刈刃カバー１の別形態の例を示しており、図６の斜視図と同一符号は同一又は相当部分を示しており、図１０の刈刃カバー１にも刈刃Ｂを出し入れするために外周縁に設けた、図６と同様の開口部３は存在する。
図１０の刈刃カバー１には、横架片部６及びゴムバンド７は無く、刈払機１０先端の駆動軸まわりの突出部であるギヤケースＣと干渉しないように、外周縁の一部から中央部まで伸びる切欠部４の形状が、図６のような略Ｕ字状とは異なる。すなわち、図１０の刈刃カバー１の切欠部４の形状は、図６における横架片部６が渡る切欠部４の間隔を狭くした、略丸底フラスコの側面形状であり、舌片５の面ファスナー５Ａ，５Ｂの着脱により、開口部３の一部（中間部分）を閉じて刈刃Ｂの出入を不能にした閉状態、及び開口部３の全体を開いて刈刃Ｂの出入を可能にした開状態を切り替えることができる。
【００２４】
以上のような刈刃カバー１の構成によれば、刈刃Ｂの全体を収容可能な収容部２を有する円板状の外形をなす袋体であるとともに、袋体の表裏を繋ぐ舌片部５により前記閉状態及び前記開状態を切り替えることができるので、袋体の収容部２に刈刃Ｂの全体が収容されるため安全性がより高まるとともに、前記開状態で外周縁に設けた開口部３から容易に刈刃Ｂを出し入れできる。
また、外周縁の一部から中央部まで伸びる切欠部４が形成されているので、刈払機１０先端の駆動軸まわりの突出部Ｃと干渉しないため、刈払機１０に取り付けられた状態の刈刃Ｂの出入れも容易である。
さらに、円板状であるので、飛散防止カバーＤが刈払機１０の先端寄りに取り付けられたものであっても、刈払機１０に取り付けられた状態の刈刃Ｂに対して、飛散防止カバーＤと干渉せずに容易に装着できる。
【符号の説明】
【００２５】
１  刈刃カバー
２  収容部
３  開口部
４  切欠部
５  舌片部
５Ａ，５Ｂ  面ファスナー
６  横架片部
６Ａ，６Ｂ  面ファスナー
７  ゴムバンド
８  ポケット
９  吊下げ具
１０  刈払機
Ａ  メインパイプ
Ｂ  刈刃
Ｃ  ギヤケース（駆動軸まわりの突出部）
Ｄ  飛散防止カバー
Ｅ  小型エンジン（駆動装置）
Ｆ  ハンガー
Ｇ  肩掛けバンド
Ｈ  ハンドル
Ｉ  スロットルレバー
Ｊ  取付孔
Ｋ  ベルト
Ｗ  作業者
【図１】
0003195734.tif 000003
【図２】
0003195734.tif 000004
【図３】
0003195734.tif 000005
【図４】
0003195734.tif 000006
【図５】
0003195734.tif 000007
【図６】
0003195734.tif 000008
【図７】
0003195734.tif 000009
【図８】
0003195734.tif 000010
【図９】
0003195734.tif 000011
【図１０】
0003195734.tif 000012